【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
スカルペットデバイスを含むよう構成されたハウジングと、
基板とスカルペットアレイとを有する前記スカルペットデバイスであって、前記スカルペットアレイは前記基板上にある構成で配置された複数のスカルペットを含み、前記基板および前記複数のスカルペットは前記ハウジングから出るよう、かつ前記ハウジングに入るよう構成され、前記複数のスカルペットは出たときにターゲットサイトに複数の切開皮膚ピクセルを生成するよう構成される、前記スカルペットデバイスと、を備える装置。
【請求項２】
前記ハウジングはレシーバと取り外し可能に結合されるよう構成される請求項１に記載の装置。
【請求項３】
前記レシーバは制御デバイスのコンポーネントである請求項２に記載の装置。
【請求項４】
前記制御デバイスは近位端と遠位端とを含み、前記近位端は駆動機構を含み、前記遠位端は前記レシーバを含む請求項３に記載の装置。
【請求項５】
前記スカルペットアレイは前記駆動機構の活性化に応じて出るよう構成される請求項４に記載の装置。
【請求項６】
前記制御デバイスの前記近位端は手で持つように構成される請求項４に記載の装置。
【請求項７】
前記スカルペットデバイスは、前記駆動機構の活性化に応じて、前記スカルペットアレイが前記スカルペットデバイスから出て、前記スカルペットデバイスに戻って入るように構成される請求項４に記載の装置。
【請求項８】
前記スカルペットデバイスは、前記駆動機構の活性化に応じて、前記スカルペットアレイが前記スカルペットデバイスから出るように構成される請求項４に記載の装置。
【請求項９】
前記スカルペットデバイスは、前記駆動機構の解放に応じて、前記スカルペットアレイが前記スカルペットデバイスに戻って入るように構成される請求項８に記載の装置。
【請求項１０】
前記制御デバイスおよび前記スカルペットデバイスのうちの少なくともひとつは、清掃、消毒、使い捨ておよび滅菌のうちの少なくともひとつが行われるよう構成される請求項４に記載の装置。
【請求項１１】
前記複数の切開皮膚ピクセルを取得するよう構成された粘着性基板を備える請求項１に記載の装置。
【請求項１２】
前記スカルペットデバイスは前記粘着性基板を含むよう構成される請求項１１に記載の装置。
【請求項１３】
前記ハウジングは前記粘着性基板を含むよう構成される請求項１１に記載の装置。
【請求項１４】
前記粘着性基板は、フレキシブル基板および準多孔膜のうちの少なくともひとつを含む請求項１１に記載の装置。
【請求項１５】
真空コンポーネントを備える請求項１に記載の装置。
【請求項１６】
前記真空コンポーネントは、前記ハウジング、前記スカルペットデバイス、および前記ハウジングを介した前記スカルペットデバイス、のうちの少なくともひとつに結合されている請求項１５に記載の装置。
【請求項１７】
前記真空コンポーネントは、前記スカルペットデバイスおよび前記制御デバイスのうちの少なくともひとつの中に低圧力ゾーンを生成するよう構成され、
前記低圧力ゾーンは前記複数の切開皮膚ピクセルを取り出すよう構成される請求項１５に記載の装置。
【請求項１８】
前記ハウジングは制御デバイスと取り外し可能に結合されるよう構成され、前記真空コンポーネントは前記制御デバイスと結合される請求項１５に記載の装置。
【請求項１９】
無線周波数（ＲＦ）コンポーネントを備える請求項１に記載の装置。
【請求項２０】
前記ＲＦコンポーネントは、前記スカルペットデバイスおよび前記スカルペットアレイのうちの少なくともひとつに熱エネルギ、音響エネルギおよび振動エネルギのうちの少なくともひとつを提供するよう構成される請求項１９に記載の装置。
【請求項２１】
前記ＲＦコンポーネントは、前記スカルペットデバイスおよび前記スカルペットアレイのうちの少なくともひとつに回転エネルギを提供するよう構成される請求項１９に記載の装置。
【請求項２２】
前記ＲＦコンポーネントは前記ハウジング、前記スカルペットデバイス、前記ハウジングを介した前記スカルペットデバイス、前記スカルペットアレイ、前記ハウジングを介した前記スカルペットアレイ、前記スカルペットアレイの少なくともひとつのスカルペット、前記ハウジングを介した前記スカルペットアレイの前記少なくともひとつのスカルペット、のうちの少なくともひとつに結合されている請求項１９に記載の装置。
【請求項２３】
前記ハウジングは制御デバイスと取り外し可能に結合されるよう構成され、前記ＲＦコンポーネントは前記制御デバイスと結合される請求項１９に記載の装置。
【請求項２４】
前記スカルペットデバイスおよび前記ハウジングのうちの少なくともひとつに結合された真空コンポーネントと、
前記スカルペットデバイス、前記スカルペットアレイおよび前記ハウジングのうちの少なくともひとつと結合された無線周波数（ＲＦ）コンポーネントと、  を含む請求項１に記載の装置。
【請求項２５】
前記真空コンポーネントは、前記スカルペットデバイスおよび前記ハウジングのうちの少なくともひとつの中に低圧力ゾーンを生成するよう構成される請求項２４に記載の装置。
【請求項２６】
前記ＲＦコンポーネントは、前記スカルペットデバイス、前記スカルペットアレイおよび前記ハウジングのうちの少なくともひとつにエネルギを提供するよう構成され、
前記エネルギは、熱エネルギ、振動エネルギ、回転エネルギおよび音響エネルギのうちの少なくともひとつを含む請求項２４に記載の装置。
【請求項２７】
前記ターゲットサイトはレシピエントサイトを含み、前記切開皮膚ピクセルは前記レシピエントサイトに皮膚欠損を生成する請求項１に記載の装置。
【請求項２８】
前記ターゲットサイトはドナーサイトを含み、前記複数の切開皮膚ピクセルは前記ドナーサイトにおいて取り入れられる請求項１に記載の装置。
【請求項２９】
前記ターゲットサイトはレシピエントサイトを含み、前記切開皮膚ピクセルは前記レシピエントサイトに皮膚欠損を生成する請求項２８に記載の装置。
【請求項３０】
前記ドナーサイトにおいて前記複数の切開皮膚ピクセルを取得し、かつ、前記複数の切開皮膚ピクセルを前記レシピエントサイトへ移送するよう構成された粘着性基板を備える請求項２９に記載の装置。
【請求項３１】
前記粘着性基板は、前記レシピエントサイトへ移送してそこに適用する間に、前記複数の切開皮膚ピクセルの相対位置を維持するよう構成される請求項３０に記載の装置。
【請求項３２】
前記粘着性基板は、前記切開皮膚ピクセルを前記レシピエントサイトの前記皮膚欠損に適用するよう構成される請求項３０に記載の装置。
【請求項３３】
前記粘着性基板は、前記切開皮膚ピクセルを前記レシピエントサイトの前記皮膚欠損と揃えるよう構成され、
前記粘着性基板は、各切開皮膚ピクセルを前記レシピエントサイトの対応する皮膚欠損に挿入するよう構成される請求項３０に記載の装置。
【請求項３４】
前記ターゲットサイトに適用されるよう構成された少なくともひとつの包帯を備え、
前記少なくともひとつの包帯は前記ターゲットサイトにおける閉じ方の方向を制御するために方向性の力を印加するよう構成される請求項２９に記載の装置。
【請求項３５】
前記少なくともひとつの包帯は、前記ドナーサイトに適用されるよう構成された第１包帯を含む請求項３４に記載の装置。
【請求項３６】
前記少なくともひとつの包帯は、前記レシピエントサイトに適用されるよう構成された第２包帯を含む請求項３４に記載の装置。
【請求項３７】
前記スカルペットデバイスは、前記ターゲットサイトを含む下方の皮膚表面に負荷を移送するよう構成され、前記皮膚ピクセルは前記負荷の印加により切開される請求項１に記載の装置。
【請求項３８】
前記スカルペットアレイは、前記ターゲットサイトを含む下方の皮膚表面に負荷を移送するよう構成され、前記皮膚ピクセルは前記負荷の印加により切開される請求項１に記載の装置。
【請求項３９】
前記ターゲットサイトに配置するよう構成されたテンプレートを備える請求項１に記載の装置。
【請求項４０】
前記スカルペットデバイスおよび前記スカルペットアレイのうちの少なくともひとつは前記テンプレートと揃うよう構成される請求項３９に記載の装置。
【請求項４１】
前記テンプレートは前記ターゲットサイトの皮膚表面上にある請求項３９に記載の装置。
【請求項４２】
前記テンプレートは前記ターゲットサイトの前記皮膚表面上のインジケータを含む請求項４１に記載の装置。
【請求項４３】
前記テンプレートは前記ターゲットサイトに配置するよう構成され、かつ、あるパターンに配置された孔を含むガイドプレートを含む請求項４１に記載の装置。
【請求項４４】
前記スカルペットアレイは前記スカルペットデバイスに取り外し可能に結合されている請求項１に記載の装置。
【請求項４５】
前記スカルペットアレイは使い捨てとなるよう構成される請求項１に記載の装置。
【請求項４６】
前記スカルペットアレイの各スカルペットの形状は円形である請求項１に記載の装置。
【請求項４７】
前記スカルペットアレイの各スカルペットの形状は、楕円形、半円形、正方形、矩形および平坦のうちのひとつである請求項１に記載の装置。
【請求項４８】
前記少なくともひとつのスカルペットの各スカルペットは斜面を含む請求項１に記載の装置。
【請求項４９】
前記複数のスカルペットの各スカルペットは少なくともひとつのとがり面を含む請求項１に記載の装置。
【請求項５０】
前記複数のスカルペットの各スカルペットは少なくともひとつの針を含む請求項１に記載の装置。
【請求項５１】
前記少なくともひとつの針は、複数の先端を含む少なくともひとつの針を含む請求項５０に記載の装置。
【請求項５２】
前記スカルペットアレイは、突き刺し力、衝撃力および回転力のうちの少なくともひとつを用いて、前記切開皮膚ピクセルを生成する請求項１に記載の装置。
【請求項５３】
前記スカルペットアレイは無線周波数（ＲＦ）エネルギを用いて前記切開皮膚ピクセルを生成する請求項１に記載の装置。
【請求項５４】
前記スカルペットアレイは振動エネルギを用いて前記切開皮膚ピクセルを生成する請求項１に記載の装置。
【請求項５５】
前記スカルペットアレイの少なくともひとつのスカルペットは貫通オリフィスを含む請求項１に記載の装置。
【請求項５６】
前記スカルペットアレイの各スカルペットの少なくともひとつの径方向寸法はおおよそ０．５ミリメートルから４．０ミリメートルの範囲にある請求項１に記載の装置。
【請求項５７】
前記ターゲットサイトのテンプレートとして配置するよう構成されたガイドプレートを備え、前記ガイドプレートはあるパターンに配置された孔を含む請求項１に記載の装置。
【請求項５８】
前記スカルペットアレイは前記ガイドプレートの前記孔と揃うよう構成される請求項５７に記載の装置。
【請求項５９】
前記スカルペットアレイは前記ガイドプレートの前記孔を介してドナーサイトに適用され、前記複数の皮膚ピクセルは切開される請求項５７に記載の装置。
【請求項６０】
前記スカルペットアレイは前記ガイドプレートの前記孔を介してレシピエントサイトに適用され、複数の皮膚欠損は生成される請求項５９に記載の装置。
【請求項６１】
前記ターゲットサイトは前記ドナーサイトと前記レシピエントサイトとを含む請求項６０に記載の装置。
【請求項６２】
前記複数の切開皮膚ピクセルおよび前記複数の皮膚欠損は、前記パターンにしたがい生成される請求項６０に記載の装置。
【請求項６３】
前記ドナーサイトにおいて前記複数の切開皮膚ピクセルを取得し、かつ、前記複数の切開皮膚ピクセルを前記レシピエントサイトへ移送するよう構成された粘着性基板を備える請求項６０に記載の装置。
【請求項６４】
前記粘着性基板は、前記レシピエントサイトへ移送してそこに適用する間に、前記複数の切開皮膚ピクセルの相対位置を維持するよう構成される請求項６３に記載の装置。
【請求項６５】
前記スカルペットアレイは前記孔を通じて前記ドナーサイトに直接適用され、前記皮膚ピクセルは切開される請求項６０に記載の装置。
【請求項６６】
前記スカルペットアレイは前記孔を通じて前記レシピエントサイトに直接適用され、前記皮膚欠損は生成される請求項６０に記載の装置。
【請求項６７】
前記ガイドプレートは前記ドナーサイトおよび前記レシピエントサイトのうちの少なくともひとつの皮膚表面に負荷を伝えるよう構成される請求項５７に記載の装置。
【請求項６８】
前記ガイドプレートは前記ターゲットサイトの皮膚表面に直接置かれる請求項５７に記載の装置。
【請求項６９】
前記ガイドプレートは前記複数の切開皮膚ピクセルを押し出すよう構成される請求項６８に記載の装置。
【請求項７０】
前記複数の皮膚ピクセルは、印加された負荷に応じて前記孔を通じて押し出される請求項６９に記載の装置。
【請求項７１】
前記複数の皮膚ピクセルは、印加された負荷に応じて前記切開された皮膚表面を通じて押し出される請求項６９に記載の装置。
【請求項７２】
切断部材を備え、
前記切開皮膚ピクセルは前記切断部材によって横切される請求項１に記載の装置。
【請求項７３】
前記切開皮膚ピクセルを取得するよう構成された粘着性基板を備える請求項７２に記載の装置。
【請求項７４】
前記切断部材はフレームに結合されている請求項７３に記載の装置。
【請求項７５】
前記フレームはガイドプレートに結合され、前記ガイドプレートは前記スカルペットデバイスのためのガイドとして構成される請求項７４に記載の装置。
【請求項７６】
前記粘着性基板は前記フレームおよび前記ガイドプレートのうちの少なくともひとつに結合される請求項７４に記載の装置。
【請求項７７】
前記切開皮膚ピクセルは毛包を含む請求項１に記載の装置。
【請求項７８】
前記皮膚欠損は、前記レシピエントサイトに挿入された前記切開皮膚ピクセルに血管新生を引き起こすよう構成される請求項１に記載の装置。
【請求項７９】
前記皮膚欠損は、前記レシピエントサイトに挿入された前記切開皮膚ピクセルに傷治癒応答を引き起こすよう構成される請求項１に記載の装置。
【請求項８０】
スカルペットデバイスを含むハウジングと、
あるパターンに配置された複数のスカルペットを含むスカルペットアレイを有する前記スカルペットデバイスであって、前記複数のスカルペットはターゲットサイトに複数の切開皮膚ピクセルを生成するために前記ハウジングから出ることができる、前記スカルペットデバイスと、を備える装置。
【請求項８１】
近位端と遠位端とを含む制御デバイスであって、前記近位端は駆動機構を含み、前記遠位端はレシーバを含む、制御デバイスと、
前記制御デバイスの前記レシーバに取り外し可能に結合されるよう構成されたスカルペットデバイスであって、前記スカルペットデバイスは基板とスカルペットアレイとを含み、前記スカルペットアレイは前記基板上にある構成で配置された複数のスカルペットを含み、前記基板および前記複数のスカルペットは前記駆動機構の活性化に応じて出るよう構成され、前記複数のスカルペットは出たときにターゲットサイトに複数の切開皮膚ピクセルを生成するよう構成される、スカルペットデバイスと、を備えるシステム。
【請求項８２】
前記制御デバイスの前記近位端は手で持つように構成される請求項８１に記載のシステム。
【請求項８３】
前記ターゲットサイトはレシピエントサイトを含み、前記切開皮膚ピクセルは前記レシピエントサイトに皮膚欠損を生成する請求項８１に記載のシステム。
【請求項８４】
前記ターゲットサイトはドナーサイトを含み、前記複数の切開皮膚ピクセルは前記ドナーサイトにおいて取り入れられる請求項８１に記載のシステム。
【請求項８５】
前記ターゲットサイトはレシピエントサイトを含み、前記切開皮膚ピクセルは前記レシピエントサイトに皮膚欠損を生成する請求項８４に記載のシステム。
【請求項８６】
前記ドナーサイトにおいて前記複数の切開皮膚ピクセルを取得し、かつ、前記複数の切開皮膚ピクセルを前記レシピエントサイトへ移送するよう構成された粘着性基板を備える請求項８５に記載のシステム。
【請求項８７】
記粘着性基板は、前記レシピエントサイトへ移送してそこに適用する間に、前記複数の切開皮膚ピクセルの相対位置を維持するよう構成される請求項８６に記載のシステム。
【請求項８８】
前記粘着性基板は、前記切開皮膚ピクセルを前記レシピエントサイトの前記皮膚欠損に適用するよう構成される請求項８６に記載のシステム。
【請求項８９】
前記粘着性基板は、前記切開皮膚ピクセルを前記レシピエントサイトの前記皮膚欠損と揃えるよう構成され、
前記粘着性基板は、各切開皮膚ピクセルを前記レシピエントサイトの対応する皮膚欠損に挿入するよう構成される請求項８６に記載のシステム。
【請求項９０】
前記ターゲットサイトに適用されるよう構成された少なくともひとつの包帯を備え、
前記少なくともひとつの包帯は前記ターゲットサイトにおける閉じ方の方向を制御するために方向性の力を印加するよう構成される請求項８５に記載のシステム。
【請求項９１】
前記少なくともひとつの包帯は、前記ドナーサイトに適用されるよう構成された第１包帯および前記レシピエントサイトに適用されるよう構成された第２包帯のうちの少なくともひとつを含む請求項９０に記載のシステム。
【請求項９２】
前記複数の切開皮膚ピクセルを取得するよう構成された粘着性基板を備える請求項８１に記載のシステム。
【請求項９３】
前記スカルペットデバイスは前記粘着性基板を含むよう構成される請求項９２に記載のシステム。
【請求項９４】
前記粘着性基板はフレキシブル基板および準多孔膜のうちの少なくともひとつを含む請求項９２に記載のシステム。
【請求項９５】
前記スカルペットデバイスは、前記駆動機構の活性化に応じて、前記スカルペットアレイが前記スカルペットデバイスから出て、前記スカルペットデバイスに戻って入るように構成される請求項８１に記載のシステム。
【請求項９６】
前記スカルペットデバイスは、前記駆動機構の活性化に応じて、前記スカルペットアレイが前記スカルペットデバイスから出るように構成される請求項８１に記載のシステム。
【請求項９７】
前記スカルペットデバイスは、前記駆動機構の解放に応じて、前記スカルペットアレイが前記スカルペットデバイスに戻って入るように構成される請求項９６に記載のシステム。
【請求項９８】
前記スカルペットデバイスは、前記ターゲットサイトを含む下方の皮膚表面に負荷を移送するよう構成され、前記皮膚ピクセルは前記負荷の印加により切開される請求項８１に記載のシステム。
【請求項９９】
前記スカルペットアレイは、前記ターゲットサイトを含む下方の皮膚表面に負荷を移送するよう構成され、前記皮膚ピクセルは前記負荷の印加により切開される請求項８１に記載のシステム。
【請求項１００】
前記スカルペットデバイス、前記スカルペットアレイ、および前記制御デバイスのうちの少なくともひとつは、使い捨て、清掃、消毒、および滅菌のうちの少なくともひとつが行われるよう構成される請求項８１に記載のシステム。
【請求項１０１】
前記ターゲットサイトに配置するよう構成されたテンプレートを備える請求項８１に記載のシステム。
【請求項１０２】
前記スカルペットデバイスおよび前記スカルペットアレイのうちの少なくともひとつは前記テンプレートと揃うよう構成される請求項１０１に記載のシステム。
【請求項１０３】
前記テンプレートは前記ターゲットの皮膚表面上にある請求項１０１に記載のシステム。
【請求項１０４】
前記テンプレートは前記ターゲットサイトの前記皮膚表面上のインジケータを含む請求項１０３に記載のシステム。
【請求項１０５】
前記テンプレートは前記ターゲットサイトに配置するよう構成され、かつ、あるパターンに配置された孔を含むガイドプレートを含む請求項１０３に記載のシステム。
【請求項１０６】
前記スカルペットアレイは前記スカルペットデバイスに取り外し可能に結合されている請求項８１に記載のシステム。
【請求項１０７】
前記スカルペットアレイの各スカルペットの形状は円形である請求項８１に記載のシステム。
【請求項１０８】
前記スカルペットアレイの各スカルペットの形状は楕円形、半円形、正方形、矩形および平坦のうちのひとつである請求項８１に記載のシステム。
【請求項１０９】
前記少なくともひとつのスカルペットの各スカルペットは斜面を含む請求項８１に記載のシステム。
【請求項１１０】
前記複数のスカルペットの各スカルペットは少なくともひとつのとがり面を含む請求項８１に記載のシステム。
【請求項１１１】
前記複数のスカルペットの各スカルペットは少なくともひとつの針を含む請求項８１に記載のシステム。
【請求項１１２】
前記少なくともひとつの針は、複数の先端を含む少なくともひとつの針を含む請求項１１１に記載のシステム。
【請求項１１３】
前記スカルペットアレイは、突き刺し力、衝撃力および回転力のうちの少なくともひとつを用いて、前記切開皮膚ピクセルを生成する請求項８１に記載のシステム。
【請求項１１４】
前記スカルペットアレイは無線周波数（ＲＦ）エネルギを用いて前記切開皮膚ピクセルを生成する請求項８１に記載のシステム。
【請求項１１５】
前記スカルペットアレイは振動エネルギを用いて前記切開皮膚ピクセルを生成する請求項８１に記載のシステム。
【請求項１１６】
前記スカルペットアレイの少なくともひとつのスカルペットは貫通オリフィスを含む請求項８１に記載のシステム。
【請求項１１７】
前記スカルペットアレイの各スカルペットの少なくともひとつの径方向寸法はおおよそ０．５ミリメートルから４．０ミリメートルの範囲にある請求項８１に記載のシステム。
【請求項１１８】
真空コンポーネントを備える請求項８１に記載のシステム。
【請求項１１９】
前記真空コンポーネントは前記制御デバイス、前記スカルペットデバイスおよび前記制御デバイスを介した前記スカルペットデバイスのうちの少なくともひとつに結合されている請求項１１８に記載のシステム。
【請求項１２０】
前記真空コンポーネントは、前記スカルペットデバイスおよび前記制御デバイスのうちの少なくともひとつの中に低圧力ゾーンを生成するよう構成され、
前記低圧力ゾーンは前記複数の切開皮膚ピクセルを取り出すよう構成される請求項１１８に記載のシステム。
【請求項１２１】
無線周波数（ＲＦ）コンポーネントを備える請求項８１に記載のシステム。
【請求項１２２】
前記ＲＦコンポーネントは、前記スカルペットデバイス、前記スカルペットアレイおよび前記制御デバイスのうちの少なくともひとつに熱エネルギを提供するよう構成される請求項１２１に記載のシステム。
【請求項１２３】
前記ＲＦコンポーネントは、前記スカルペットデバイス、前記スカルペットアレイおよび前記制御デバイスのうちの少なくともひとつに振動エネルギを提供するよう構成される請求項１２１に記載のシステム。
【請求項１２４】
前記ＲＦコンポーネントは、前記スカルペットデバイス、前記スカルペットアレイおよび前記制御デバイスのうちの少なくともひとつに回転エネルギを提供するよう構成される請求項１２１に記載のシステム。
【請求項１２５】
前記ＲＦコンポーネントは前記制御デバイス、前記スカルペットデバイス、前記制御デバイスを介した前記スカルペットデバイス、前記スカルペットアレイ、前記制御デバイスを介した前記スカルペットアレイ、前記スカルペットアレイの少なくともひとつのスカルペット、前記制御デバイスを介した前記スカルペットアレイの前記少なくともひとつのスカルペット、のうちの少なくともひとつに結合されている請求項１２１に記載のシステム。
【請求項１２６】
前記スカルペットデバイスおよび前記制御デバイスのうちの少なくともひとつに結合された真空コンポーネントと、
前記スカルペットデバイス、前記スカルペットアレイおよび前記制御デバイスのうちの少なくともひとつと結合された無線周波数（ＲＦ）コンポーネントと、を含む請求項８１に記載のシステム。
【請求項１２７】
前記真空コンポーネントは、前記スカルペットデバイスおよび前記制御デバイスのうちの少なくともひとつの中に低圧力ゾーンを生成するよう構成される請求項１２６に記載のシステム。
【請求項１２８】
前記ＲＦコンポーネントは、前記スカルペットデバイス、前記スカルペットアレイおよび前記制御デバイスのうちの少なくともひとつにエネルギを提供するよう構成される請求項１２６に記載のシステム。
【請求項１２９】
前記エネルギは、熱エネルギ、振動エネルギ、回転エネルギおよび音響エネルギのうちの少なくともひとつを含む請求項１２８に記載のシステム。
【請求項１３０】
前記ターゲットサイトのテンプレートとして配置するよう構成されたガイドプレートを備え、前記ガイドプレートはあるパターンに配置された孔を含む請求項８１に記載のシステム。
【請求項１３１】
前記スカルペットアレイは前記ガイドプレートの前記孔と揃うよう構成される請求項１３０に記載のシステム。
【請求項１３２】
前記スカルペットアレイは前記ガイドプレートの前記孔を介してドナーサイトに適用され、前記複数の皮膚ピクセルは切開される請求項１３０に記載のシステム。
【請求項１３３】
前記スカルペットアレイは前記ガイドプレートの前記孔を介してレシピエントサイトに適用され、複数の皮膚欠損は生成される請求項１３２に記載のシステム。
【請求項１３４】
前記ターゲットサイトは前記ドナーサイトと前記レシピエントサイトとを含む請求項１３３に記載のシステム。
【請求項１３５】
前記複数の切開皮膚ピクセルおよび前記複数の皮膚欠損は、前記パターンにしたがい生成される請求項１３３に記載のシステム。
【請求項１３６】
前記ドナーサイトにおいて前記複数の切開皮膚ピクセルを取得し、かつ、前記複数の切開皮膚ピクセルを前記レシピエントサイトへ移送するよう構成された粘着性基板を備える請求項１３３に記載のシステム。
【請求項１３７】
前記粘着性基板は、前記レシピエントサイトへ移送してそこに適用する間に、前記複数の切開皮膚ピクセルの相対位置を維持するよう構成される請求項１３６に記載のシステム。
【請求項１３８】
前記スカルペットアレイは前記孔を通じて前記ドナーサイトに直接適用され、前記皮膚ピクセルは切開される請求項１３３に記載のシステム。
【請求項１３９】
前記スカルペットアレイは前記孔を通じて前記レシピエントサイトに直接適用され、前記皮膚欠損は生成される請求項１３３に記載のシステム。
【請求項１４０】
前記ガイドプレートは前記ドナーサイトおよび前記レシピエントサイトのうちの少なくともひとつの皮膚表面に負荷を伝えるよう構成される請求項１３０に記載のシステム。
【請求項１４１】
前記ガイドプレートは前記ターゲットサイトの皮膚表面に直接置かれる請求項１３０に記載のシステム。
【請求項１４２】
前記ガイドプレートは前記複数の切開皮膚ピクセルを押し出すよう構成される請求項１４１に記載のシステム。
【請求項１４３】
前記複数の皮膚ピクセルは、印加された負荷に応じて前記孔および前記切開された皮膚表面のうちの少なくともひとつを通じて押し出される請求項１４２に記載のシステム。
【請求項１４４】
切断部材を備え、
前記切開皮膚ピクセルは前記切断部材によって横切される請求項８１に記載のシステム。
【請求項１４５】
前記切開皮膚ピクセルを取得するよう構成された粘着性基板を備える請求項１４４に記載のシステム。
【請求項１４６】
前記切断部材はフレームに結合されている請求項１４５に記載のシステム。
【請求項１４７】
前記フレームはガイドプレートに結合され、前記ガイドプレートは前記スカルペットデバイスのためのガイドとして構成される請求項１４６に記載のシステム。
【請求項１４８】
前記粘着性基板は前記フレームおよび前記ガイドプレートのうちの少なくともひとつに結合される請求項１４６に記載のシステム。
【請求項１４９】
前記切開皮膚ピクセルは毛包を含む請求項８１に記載のシステム。
【請求項１５０】
前記皮膚欠損は、前記レシピエントサイトに挿入された前記切開皮膚ピクセルに血管新生および傷治癒応答のうちの少なくともひとつを引き起こすよう構成される請求項８１に記載のシステム。
【請求項１５１】
制御デバイスと、
前記制御デバイスに取り外し可能に結合されたスカルペットデバイスであって、前記スカルペットデバイスはパターンに配置された複数のスカルペットを有するスカルペットアレイを含み、前記複数のスカルペットは前記制御デバイスによる活性化に応じて出入りし、かつ、ターゲットサイトに複数の切開皮膚ピクセルを生成するよう構成される、スカルペットデバイスと、を備えるシステム。
【請求項１５２】
駆動機構を有する制御デバイスと、
前記制御デバイスに取り外し可能に結合されるよう構成されたスカルペットデバイスであって、前記スカルペットデバイスは基板とスカルペットアレイとを含み、前記スカルペットアレイは前記基板上にあるパターンで配置された複数のスカルペットを含み、前記基板および前記複数のスカルペットは前記駆動機構の活性化に応じて出るか入るかのうちの少なくともひとつを行うよう構成され、前記複数のスカルペットは出たときにターゲットサイトに複数の切開皮膚ピクセルを生成するよう構成される、スカルペットデバイスと、を備えるシステム。
【請求項１５３】
スカルペットデバイスを含むよう構成されたハウジングと、
基板とスカルペットアレイとを有する前記スカルペットデバイスであって、前記スカルペットアレイは前記基板上にある構成で配置された複数のスカルペットを含み、前記基板および前記複数のスカルペットは前記ハウジングから出るよう、かつ前記ハウジングに入るよう構成され、前記複数のスカルペットは出たときにターゲットサイトに複数の切開皮膚ピクセルを生成するよう構成される、前記スカルペットデバイスと、
前記スカルペットデバイスの隣に低圧力ゾーンを生成するよう構成された真空コンポーネントと、を備えるシステム。
【請求項１５４】
前記真空コンポーネントは前記ハウジングに結合されている請求項１５３に記載のシステム。
【請求項１５５】
前記真空コンポーネントは前記スカルペットデバイスに結合されている請求項１５３に記載のシステム。
【請求項１５６】
前記真空コンポーネントは前記スカルペットデバイスに、前記ハウジングを介して結合されている請求項１５３に記載のシステム。
【請求項１５７】
前記真空コンポーネントは前記ハウジング内に前記低圧力ゾーンを生成するよう構成される請求項１５３に記載のシステム。
【請求項１５８】
前記低圧力ゾーンは前記複数の切開皮膚ピクセルを取り出すよう構成される請求項１５３に記載のシステム。
【請求項１５９】
前記ハウジングはレシーバと取り外し可能に結合されるよう構成される請求項１５３に記載のシステム。
【請求項１６０】
前記レシーバは制御デバイスのコンポーネントである請求項１５９に記載のシステム。
【請求項１６１】
前記制御デバイスは近位端と遠位端とを含み、前記近位端は駆動機構を含み、前記遠位端は前記レシーバを含む請求項１６０に記載のシステム。
【請求項１６２】
前記スカルペットアレイは前記駆動機構の活性化に応じて出るよう構成される請求項１６１に記載のシステム。
【請求項１６３】
前記制御デバイスの前記近位端は手で持つように構成される請求項１６１に記載のシステム。
【請求項１６４】
前記スカルペットデバイスは、前記駆動機構の活性化に応じて、前記スカルペットアレイが前記スカルペットデバイスから出て、前記スカルペットデバイスに戻って入るように構成される請求項１６１に記載のシステム。
【請求項１６５】
前記スカルペットデバイスは、前記駆動機構の活性化に応じて、前記スカルペットアレイが前記スカルペットデバイスから出るように構成される請求項１６１に記載のシステム。
【請求項１６６】
前記スカルペットデバイスは、前記駆動機構の解放に応じて、前記スカルペットアレイが前記スカルペットデバイスに戻って入るように構成される請求項１６５に記載のシステム。
【請求項１６７】
前記制御デバイスおよび前記スカルペットデバイスのうちの少なくともひとつは、使い捨て、清掃、消毒、および滅菌のうちの少なくともひとつが行われるよう構成される請求項１６１に記載のシステム。
【請求項１６８】
前記複数の切開皮膚ピクセルを取得するよう構成された粘着性基板を備える請求項１５３に記載のシステム。
【請求項１６９】
前記スカルペットデバイスは前記粘着性基板を含むよう構成される請求項１６８に記載のシステム。
【請求項１７０】
前記ハウジングは前記粘着性基板を含むよう構成される請求項１６８に記載のシステム。
【請求項１７１】
前記粘着性基板はフレキシブル基板および準多孔膜のうちの少なくともひとつを含む請求項１６８に記載のシステム。
【請求項１７２】
無線周波数（ＲＦ）コンポーネントを備える請求項１５３に記載のシステム。
【請求項１７３】
前記ＲＦコンポーネントは、前記スカルペットデバイスおよび前記スカルペットアレイのうちの少なくともひとつに熱エネルギ、振動エネルギおよび音響エネルギのうちの少なくともひとつを提供するよう構成される請求項１７２に記載のシステム。
【請求項１７４】
前記ＲＦコンポーネントは、前記スカルペットデバイスおよび前記スカルペットアレイのうちの少なくともひとつに回転エネルギを提供するよう構成される請求項１７２に記載のシステム。
【請求項１７５】
前記ＲＦコンポーネントは前記ハウジング、前記スカルペットデバイス、前記ハウジングを介した前記スカルペットデバイス、前記スカルペットアレイ、前記ハウジングを介した前記スカルペットアレイ、前記スカルペットアレイの少なくともひとつのスカルペット、前記ハウジングを介した前記スカルペットアレイの前記少なくともひとつのスカルペット、のうちの少なくともひとつに結合されている請求項１７２に記載のシステム。
【請求項１７６】
前記ハウジングは制御デバイスと取り外し可能に結合されるよう構成され、前記ＲＦコンポーネントは前記制御デバイスと結合される請求項１７２に記載のシステム。
【請求項１７７】
前記ターゲットサイトはレシピエントサイトを含み、前記切開皮膚ピクセルは前記レシピエントサイトに皮膚欠損を生成する請求項１５３に記載のシステム。
【請求項１７８】
前記ターゲットサイトはドナーサイトを含み、前記複数の切開皮膚ピクセルは前記ドナーサイトにおいて取り入れられる請求項１５３に記載のシステム。
【請求項１７９】
前記ターゲットサイトはレシピエントサイトを含み、前記切開皮膚ピクセルは前記レシピエントサイトに皮膚欠損を生成する請求項１７８に記載のシステム。
【請求項１８０】
前記ドナーサイトにおいて前記複数の切開皮膚ピクセルを取得し、かつ、前記複数の切開皮膚ピクセルを前記レシピエントサイトへ移送するよう構成された粘着性基板を備える請求項１７９に記載のシステム。
【請求項１８１】
前記粘着性基板は、前記レシピエントサイトへ移送してそこに適用する間に、前記複数の切開皮膚ピクセルの相対位置を維持するよう構成される請求項１８０に記載のシステム。
【請求項１８２】
前記粘着性基板は、前記切開皮膚ピクセルを前記レシピエントサイトの前記皮膚欠損に適用するよう構成される請求項１８０に記載のシステム。
【請求項１８３】
前記粘着性基板は、前記切開皮膚ピクセルを前記レシピエントサイトの前記皮膚欠損と揃えるよう構成される請求項１８０に記載のシステム。
【請求項１８４】
前記粘着性基板は、各切開皮膚ピクセルを前記レシピエントサイトの対応する皮膚欠損に挿入するよう構成される請求項１８３に記載のシステム。
【請求項１８５】
前記ターゲットサイトに適用されるよう構成された少なくともひとつの包帯を備え、
前記少なくともひとつの包帯は前記ターゲットサイトにおける閉じ方の方向を制御するために方向性の力を印加するよう構成される請求項１７９に記載のシステム。
【請求項１８６】
前記少なくともひとつの包帯は、前記ドナーサイトに適用されるよう構成された第１包帯を含む請求項１８５に記載のシステム。
【請求項１８７】
前記少なくともひとつの包帯は、前記レシピエントサイトに適用されるよう構成された第２包帯を含む請求項１８５に記載のシステム。
【請求項１８８】
前記スカルペットデバイスは、前記ターゲットサイトを含む下方の皮膚表面に負荷を移送するよう構成され、前記皮膚ピクセルは前記負荷の印加により切開される請求項１５３に記載のシステム。
【請求項１８９】
前記スカルペットアレイは、前記ターゲットサイトを含む下方の皮膚表面に負荷を移送するよう構成され、前記皮膚ピクセルは前記負荷の印加により切開される請求項１５３に記載のシステム。
【請求項１９０】
前記ターゲットサイトに配置するよう構成されたテンプレートを備える請求項１５３に記載のシステム。
【請求項１９１】
前記スカルペットデバイスおよび前記スカルペットアレイのうちの少なくともひとつは前記テンプレートと揃うよう構成される請求項１９０に記載のシステム。
【請求項１９２】
前記テンプレートは前記ターゲットの皮膚表面上にある請求項１９０に記載のシステム。
【請求項１９３】
前記テンプレートは前記ターゲットサイトの前記皮膚表面上のインジケータを含む請求項１９２に記載のシステム。
【請求項１９４】
前記テンプレートは前記ターゲットサイトに配置するよう構成され、かつ、あるパターンに配置された孔を含むガイドプレートを含む請求項１９２に記載のシステム。
【請求項１９５】
前記スカルペットアレイは前記スカルペットデバイスに取り外し可能に結合されている請求項１５３に記載のシステム。
【請求項１９６】
前記スカルペットアレイは使い捨てとなるよう構成される請求項１５３に記載のシステム。
【請求項１９７】
前記スカルペットアレイの各スカルペットの形状は円形である請求項１５３に記載のシステム。
【請求項１９８】
前記スカルペットアレイの各スカルペットの形状は楕円形、半円形、正方形、矩形および平坦のうちのひとつである請求項１５３に記載のシステム。
【請求項１９９】
前記少なくともひとつのスカルペットの各スカルペットは斜面を含む請求項１５３に記載のシステム。
【請求項２００】
前記複数のスカルペットの各スカルペットは少なくともひとつのとがり面を含む請求項１５３に記載のシステム。
【請求項２０１】
前記複数のスカルペットの各スカルペットは少なくともひとつの針を含む請求項１５３に記載のシステム。
【請求項２０２】
前記少なくともひとつの針は、複数の先端を含む少なくともひとつの針を含む請求項２０１に記載のシステム。
【請求項２０３】
前記スカルペットアレイは、突き刺し力、衝撃力および回転力のうちの少なくともひとつを用いて、前記切開皮膚ピクセルを生成する請求項１５３に記載のシステム。
【請求項２０４】
前記スカルペットアレイは無線周波数（ＲＦ）エネルギを用いて前記切開皮膚ピクセルを生成する請求項１５３に記載のシステム。
【請求項２０５】
前記スカルペットアレイは振動エネルギを用いて前記切開皮膚ピクセルを生成する請求項１５３に記載のシステム。
【請求項２０６】
前記スカルペットアレイの少なくともひとつのスカルペットは貫通オリフィスを含む請求項１５３に記載のシステム。
【請求項２０７】
前記スカルペットアレイの各スカルペットの少なくともひとつの径方向寸法はおおよそ０．５ミリメートルから４．０ミリメートルの範囲にある請求項１５３に記載のシステム。
【請求項２０８】
前記ターゲットサイトのテンプレートとして配置するよう構成されたガイドプレートを備え、前記ガイドプレートはあるパターンに配置された孔を含む請求項１５３に記載のシステム。
【請求項２０９】
前記スカルペットアレイは前記ガイドプレートの前記孔と揃うよう構成される請求項２０８に記載のシステム。
【請求項２１０】
前記スカルペットアレイは前記ガイドプレートの前記孔を介してドナーサイトに適用され、前記複数の皮膚ピクセルは切開される請求項２０８に記載のシステム。
【請求項２１１】
前記スカルペットアレイは前記ガイドプレートの前記孔を介してレシピエントサイトに適用され、複数の皮膚欠損は生成される請求項２１０に記載のシステム。
【請求項２１２】
前記ターゲットサイトは前記ドナーサイトと前記レシピエントサイトとを含む請求項２１１に記載のシステム。
【請求項２１３】
前記複数の切開皮膚ピクセルおよび前記複数の皮膚欠損は、前記パターンにしたがい生成される請求項２１１に記載のシステム。
【請求項２１４】
前記ドナーサイトにおいて前記複数の切開皮膚ピクセルを取得し、かつ、前記複数の切開皮膚ピクセルを前記レシピエントサイトへ移送するよう構成された粘着性基板を備える請求項２１１に記載のシステム。
【請求項２１５】
前記粘着性基板は、前記レシピエントサイトへ移送してそこに適用する間に、前記複数の切開皮膚ピクセルの相対位置を維持するよう構成される請求項２１４に記載のシステム。
【請求項２１６】
前記スカルペットアレイは前記孔を通じて前記ドナーサイトに直接適用され、前記皮膚ピクセルは切開される請求項２１１に記載のシステム。
【請求項２１７】
前記スカルペットアレイは前記孔を通じて前記レシピエントサイトに直接適用され、前記皮膚欠損は生成される請求項２１１に記載のシステム。
【請求項２１８】
前記ガイドプレートは前記ドナーサイトおよび前記レシピエントサイトのうちの少なくともひとつの皮膚表面に負荷を伝えるよう構成される請求項２０８に記載のシステム。
【請求項２１９】
前記ガイドプレートは前記ターゲットサイトの皮膚表面に直接置かれる請求項２０８に記載のシステム。
【請求項２２０】
前記ガイドプレートは前記複数の切開皮膚ピクセルを押し出すよう構成される請求項２１９に記載のシステム。
【請求項２２１】
前記複数の皮膚ピクセルは、印加された負荷に応じて前記孔および前記切開された皮膚表面のうちの少なくともひとつを通じて押し出される請求項２２０に記載のシステム。
【請求項２２２】
切断部材を備え、
前記切開皮膚ピクセルは前記切断部材によって横切される請求項１５３に記載のシステム。
【請求項２２３】
前記切開皮膚ピクセルを取得するよう構成された粘着性基板を備える請求項２２２に記載のシステム。
【請求項２２４】
前記切断部材はフレームに結合されている請求項２２３に記載のシステム。
【請求項２２５】
前記フレームはガイドプレートに結合され、前記ガイドプレートは前記スカルペットデバイスのためのガイドとして構成される請求項２２４に記載のシステム。
【請求項２２６】
前記粘着性基板は前記フレームおよび前記ガイドプレートのうちの少なくともひとつに結合される請求項２２４に記載のシステム。
【請求項２２７】
前記切開皮膚ピクセルは毛包を含む請求項１５３に記載のシステム。
【請求項２２８】
前記皮膚欠損は、前記レシピエントサイトに挿入された前記切開皮膚ピクセルに血管新生および傷治癒応答のうちの少なくともひとつを引き起こすよう構成される請求項１５３に記載のシステム。
【請求項２２９】
スカルペットデバイスを含むハウジングと、
あるパターンに配置された複数のスカルペットを含むスカルペットアレイを有する前記スカルペットデバイスであって、前記複数のスカルペットはターゲットサイトに複数の切開皮膚ピクセルを生成するために前記ハウジングから出ることができる、前記スカルペットデバイスと、
前記スカルペットデバイスの隣に低圧力ゾーンを生成するよう構成された真空コンポーネントと、を備えるシステム。